(57)【特許請求の範囲】
【請求項１】
自転車用ワイヤー錠取付システムであって、ワイヤー錠取付具と、ワイヤー錠とを備え、ワイヤー錠取付具は、取付具本体と、取付具本体に設けられ、ワイヤー錠を施錠することによりワイヤー錠の錠前部を保持する錠前保持部と、取付具本体に設けられ、施錠したワイヤー錠の錠前部を境にワイヤー錠のワイヤー部を左側と右側とに２分したワイヤー部の左右両側のそれぞれの中央付近を、左側の中央付近の次に右側の中央付近または右側の中央付近の次に左側の中央付近の順に交互に引掛けるワイヤー引掛け部と、取付具本体に設けられ、ワイヤー錠取付具を自転車に取付けるための取付構造とを備え、錠前保持部には、ワイヤー錠の錠竿部の一部または全部を挿通して錠前部を保持する錠竿挿通孔が形成される自転車用ワイヤー錠取付システムにおいて、ワイヤー錠は、ワイヤー錠に設けられ、施錠したワイヤー錠のワイヤー部の中央付近を係止するワイヤー係止部を備えることを特徴とする自転車用ワイヤー錠取付システム。
【発明の詳細な説明】
【技術分野】
【０００１】
本発明は、自転車用ワイヤー錠取付システムに関する。
【背景技術】
【０００２】
従来、ワイヤー錠を施錠した状態で自転車に取付けることができる自転車用ワイヤー錠取付システムとして、自転車取付け部と、ワイヤー錠取付け部とを備え、自転車取付け部を円弧状に形成したバンド片から構成し、その先端部と基端部とをボルトで係止することにより自転車の車体の一部に固定するものとし、一方、ワイヤー錠取付け部を、穿設孔からなるワイヤー収納部と出し入れ口とから構成し、このワイヤー収納部に入れたワイヤー錠のワイヤーを、その内部上面の上部ワイヤー当接部と内部下面の下部ワイヤー当接部とにワイヤーの有する弾性力によって押圧状態で当接させることにより取り付けるワイヤー錠用取付具（特許文献１参照）が知られている。
【先行技術文献】
【特許文献】
【０００３】
【特許文献１】実開平６−４７５５１号公報
【発明の概要】
【発明が解決しようとする課題】
【０００４】
特許文献１のワイヤー錠用取付具は、ワイヤー錠をワイヤー錠用取付具に取付ける際に、ワイヤー錠をコンパクトに取付けられないという問題がある。
本発明は、ワイヤー錠をワイヤー錠取付具によりコンパクトに取付けることができる自転車用ワイヤー錠取付システムを提供することを目的とする。
【課題を解決するための手段】
【０００５】
上記課題を解決するための手段として、本発明の自転車用ワイヤー錠取付システムは、ワイヤー錠取付具と、ワイヤー錠とを備え、ワイヤー錠取付具は、取付具本体と、取付具本体に設けられ、ワイヤー錠を施錠することによりワイヤー錠の錠前部を保持する錠前保持部と、取付具本体に設けられ、施錠したワイヤー錠の錠前部を境にワイヤー錠のワイヤー部を左側と右側とに２分したワイヤー部の左右両側のそれぞれの中央付近を、左側の中央付近の次に右側の中央付近または右側の中央付近の次に左側の中央付近の順に交互に引掛けるワイヤー引掛け部と、取付具本体に設けられ、ワイヤー錠取付具を自転車に取付けるための取付構造とを備え、錠前保持部には、ワイヤー錠の錠竿部の一部または全部を挿通して錠前部を保持する錠竿挿通孔が形成される自転車用ワイヤー錠取付システムにおいて、ワイヤー錠は、ワイヤー錠に設けられ、施錠したワイヤー錠のワイヤー部の中央付近を係止するワイヤー係止部を備える。
【発明の効果】
【０００６】
本発明によれば、ワイヤー錠をワイヤー錠取付具によりコンパクトに取り付けることができる。
【図面の簡単な説明】
【０００７】
【図１】本発明の一実施形態として、自転車用ワイヤー錠取付システムのワイヤー錠取付具と、ワイヤー錠とを示す斜視図である。
【図２】図１のワイヤー錠取付具に、図１のワイヤー錠を取付けたワイヤー錠取付システムを示す斜視図である。
【図３】図２のワイヤー錠取付システムを、自転車のシートポストに取付けた状態を示す斜視図である。
【発明を実施するための形態】
【０００８】
本発明に係る自転車用ワイヤー錠取付システムの実施形態について、図面を用いて説明するが、以下に説明する実施形態のみに限定されるものではない。
図１は、本発明の一実施形態として、自転車用ワイヤー錠取付システムのワイヤー錠取付具と、ワイヤー錠とを示す斜視図である。
ワイヤー錠取付具１は、上方に向かって垂直に延び、垂直に延びた先端が後方に向かって湾曲して延び、湾曲して延びた先端が後方に向かって延びる取付具本体２と、取付具本体２に設けられ、取付具本体２の後端部より前側に、取付具本体２の表面の右側から斜め上方内側に向かって延びるワイヤー錠３の錠前部４を保持する錠前保持部５と、取付具本体２に設けられ、取付具本体２の下端部より上側に、取付具本体２の裏面から後方に向かって延び、後方に延びた先端が下方に向かって延びるワイヤー錠３のワイヤー部６の左右両側付近を、施錠したワイヤー錠３の錠前部４を境にワイヤー錠３のワイヤー部６を左側と右側とに２分したワイヤー部６の左右両側のそれぞれの中央付近を、左側の中央付近の次に右側の中央付近または右側の中央付近の次に左側の中央付近の順に交互に引掛けるワイヤー引掛け部７と、取付具本体２に設けられ、ワイヤー錠取付具１を自転車に取付けるための取付構造として、取付具本体２の下端部より上側に、ワイヤー錠取付具１を、自転車のシートポスト８（図３参照）に取付けるための取付けバンド９（図３参照）をボルト１０（図３参照）で固定するためのボルト挿通孔１１が形成され、錠前保持部５には、ワイヤー錠３の錠竿部１２の錠竿先端部分１３を挿通してワイヤー錠３を施錠することにより錠前部４を保持する錠竿先端部分挿通孔１４が形成される。
ワイヤー錠３は、ワイヤー錠３に設けられ、施錠したワイヤー錠３のワイヤー部６の中央付近を係止するワイヤー係止部として、ワイヤー錠３の錠前部４の鍵穴部分１５の下側に略Ｕ字状に形成されるワイヤー係止溝部１６が形成される。
【０００９】
図２は、図１のワイヤー錠取付具に、図１のワイヤー錠を取付けたワイヤー錠取付システムを示す斜視図である。
ワイヤー錠３の錠前部４は、錠竿部１２の錠竿先端部分１３を錠前保持部５に形成される錠竿先端部分挿通孔１４に挿通し、錠竿先端部分挿通孔１４から突出した錠竿先端部分１３を、錠前部４の錠穴部分１７に差込んでワイヤー錠３を施錠することにより、錠前部４が錠前保持部５に当接して保持される。
ワイヤー錠３のワイヤー部６は、施錠したワイヤー錠３の錠前部４を境にワイヤー錠３のワイヤー部６を左側と右側とに２分したワイヤー部６の左右両側のそれぞれの中央付近を、左側の中央付近の次に右側の中央付近の順に交互にワイヤー引掛け部７に引掛け、施錠したワイヤー錠のワイヤー部６の中央付近を、ワイヤー錠３の錠前部４の鍵穴部分１５の下側に略Ｕ字形状に形成されるワイヤー係止溝部１６に引掛けてワイヤー部６が係止される。
【００１０】
図３は、図２のワイヤー錠取付システムを、自転車のシートポストに取付けた状態を示す斜視図である。示す斜視図である。
ワイヤー錠３が取付けられたワイヤー錠取付具１は、ワイヤー錠取付具１のボルト挿通孔１１にボルト１０を挿通して取付けバンド９が取付けられ、取付けバンド９で自転車のシートポスト８を挟持して取付けられる。
【符号の説明】
【００１１】
１  ワイヤー錠取付具
２  取付具本体
３  ワイヤー錠
４  錠前部
５  錠前保持部
６  ワイヤー部
７  ワイヤー引掛け部
８  シートポスト
９  取付けバンド
１０  ボルト
１１  ボルト挿通孔
１２  錠竿部
１３  錠竿先端部分
１４  錠竿先端部分挿通孔
１５  鍵穴部分
１６  ワイヤー係止溝部
１７  錠穴部分
【要約】
【課題】ワイヤー錠をワイヤー錠取付具によりコンパクトに取り付けることができる自転車用のワイヤー錠取付システムを提供する。
【解決手段】ワイヤー錠３の錠前部４は、錠竿部１２の錠竿先端部分１３を錠前保持部５に形成される錠竿先端部分挿通孔１４に挿通し、錠竿先端部分挿通孔１４から突出した錠竿先端部分１３を、錠前部４の錠穴部分１７に差込んでワイヤー錠３を施錠することにより、錠前部４が錠前保持部５に当接して保持される。ワイヤー錠３のワイヤー部６は、施錠したワイヤー錠３の錠前部４を境にワイヤー錠３のワイヤー部６を左側と右側とに２分したワイヤー部６の左右両側のそれぞれの中央付近を、左側の中央付近の次に右側の中央付近の順に交互にワイヤー引掛け部７に引掛け、施錠したワイヤー錠３のワイヤー部６の中央付近を、ワイヤー錠３の錠前部４の鍵穴部分１５の下側に略Ｕ字状に形成されるワイヤー係止溝部１６に引掛けてワイヤー部６が係止される。
【選択図】図２【図１】
0006986812.tif 000002
【図２】
0006986812.tif 000003
【図３】
0006986812.tif 000004